(57)【要約】      （修正有）【課題】コンクリート製品や構造物の板状縁部などにポールを容易に立設することができ、また、分解して、ポールを取り除くことや交換することや繰り返し使用することが可能なポール立設構造を提供する。【解決手段】下向きボルト２とコ字状断面部材３１および上向きボルト３２を備えるポールホルダー３と該上向きボルト３２のねじ部が挿通するポール台４と該ポール台４に載置され、ポール２００の下端部に収納されるポールインサート５とを備え、ポールホルダー３のコ字状断面部材３１の下端部では下向きボルト２の頭部が係止し、ポールホルダー３のコ字状断面部材３１の上端部では上向きボルト３２の頭部が係止し、該上向きボルト３２とポールインサート５に収納されたナット５３により、ポール台４とコ字状断面部材３１を締め付けることができる。【選択図】図１
0003205169.tif 000002
【実用新案登録請求の範囲】
【請求項１】
下向きボルトとコ字状断面部材および上向きボルトを備えるポールホルダーと該上向きボルトのねじ部が挿通するポール台と該ポール台に載置され、ポールの下端部に収納されるポールインサートとを備えるポール立設構造であって、ポールホルダーのコ字状断面部材の下端部では下向きボルトの頭部が係止し、ポールホルダーのコ字状断面部材の上端部では上向きボルトの頭部が係止し、上向きボルトとポールインサートに収納、固定されたナットにより、ポール台とコ字状断面部材を締め付けることができることを特徴とするポール立設構造。
【請求項２】
前記下向きボルトのねじ部がコンクリート製品に埋設されたインサートのねじ部に螺合することによりコンクリート製品にポールを立設することを特徴とする、請求項１に記載のポール立設構造。
【請求項３】
前記インサートがグリップアンカーであることを特徴とする請求項２に記載のコンクリート製品にポールを立設するポール立設構造。
【請求項４】
前記下向きボルトのねじ部が構造物の板状縁部に装着された略コ字形材に形成されたねじ部に螺合することにより、構造物の板状縁部にポールを立設することを特徴とする、請求項１に記載のポール立設構造。
【請求項５】
前記コ字状断面部材は、その下端部および上端部にそれぞれ略Ω（オメガ）形の切り欠きを有する板状体を備えることを特徴とする請求項１〜４のいずれか一項に記載のポール立設構造。
【請求項６】
前記ポールインサートの上端部に回転操作部を取り付けたことを特徴とする請求項１〜５のいずれか一項に記載のポール立設構造。
【請求項７】
前記ポールインサートには、ポールと該インサートとを締結するボルトナットのボルト挿通用孔が形成されていることを特徴とする請求項１〜６のいずれか一項に記載のポール立設構造。
【考案の詳細な説明】
【技術分野】
【０００１】
本考案は、コンクリート製品や金属製構造物などの対象物にポールを立設するためのポール立設構造に関する。
【背景技術】
【０００２】
コンクリート製品にポール（支柱）を立設して、道路工事現場の標識として利用したり、駐車場の境界を示す標識として利用したりすることは街中でよく見受けられる。
また、プレキャスト等のコンクリート製品を使用して建築物を建造する建設現場でも、安全上の対策として防護柵を設けるため、コンクリート製品に防護柵の支柱を立設することがある。
また、工事現場などにおいて、鋼板やＨ形鋼などを使用した金属製構造物にも同様に標識となる支柱や防護柵の支柱を立設することがある。
【０００３】
従来、コンクリート製品等の対象物にポールを立設する場合、立設構造が複雑であり、コンクリート製品などに簡単にポールを立設する手段がなかった。特許文献１には、基礎コンクリートの打設時に埋め込まれたベースプレートに溶接により接合した部材を介してポールを固定して立設する工法や２対の対向する固定用のボルトで基礎コンクリートに穿設した取付穴にポールを固定して立設する工法が示されている。これらの工法に使用されているポール立設構造は、コンクリートの打設時に溶接を必要としたり、複雑な取付作業を強いたりするものであった。また、ひとたび立設されたポールを取り除いたり、他のポールに交換したりしようとすると、ポール立設構造そのものやその周辺部のコンクリート製品を破壊せざるを得ず、ポール立設構造を繰り返し使用することができなかった。
また、鋼板やＨ形鋼などを使用した構造物にポールを立設する場合は、コンクリート製品のように取付穴を穿設する加工など容易には行えないため、ポールを立設することは一層困難であった。
【先行技術文献】
【特許文献】
【０００４】
【特許文献１】特開平５−２５８９７号公報
【考案の概要】
【考案が解決しようとする課題】
【０００５】
本考案は従来技術の有するこのような問題点に鑑みてなされたものであり、その目的とするところは、コンクリート製品や構造物等の対象物にポールを容易に立設することができ、また、分解して、ポールを取り除くことや交換することや繰り返し使用することが可能なポール立設構造を提供することを目的とする。
【課題を解決するための手段】
【０００６】
上記目的を達成するために、本考案は以下の手段を採用する。
［１］下向きボルトとコ字状断面部材および上向きボルトを備えるポールホルダーと該上向きボルトのねじ部が挿通するポール台と該ポール台に載置され、ポールの下端部に収納されるポールインサートとを備えるポール立設構造であって、ポールホルダーのコ字状断面部材の下端部では下向きボルトの頭部が係止し、ポールホルダーのコ字状断面部材の上端部では上向きボルトの頭部が係止し、上向きボルトとポールインサートに収納、固定されたナットにより、ポール台とコ字状断面部材を締め付けることができることを特徴とするポール立設構造。
［２］前記下向きボルトのねじ部がコンクリート製品に埋設されたインサートのねじ部に螺合することによりコンクリート製品にポールを立設することを特徴とする、［１］に記載のポール立設構造。
［３］前記インサートがグリップアンカーであることを特徴とする［２］に記載のコンクリート製品にポールを立設するポール立設構造。
［４］前記下向きボルトのねじ部が構造物の板状縁部に装着された略コ字形材に形成されたねじ部に螺合することにより、構造物の板状縁部にポールを立設することを特徴とする、［１］に記載のポール立設構造。
［５］前記コ字状断面部材は、その下端部および上端部にそれぞれ略Ω（オメガ）形の切り欠きを有する板状体を備えることを特徴とする［１］〜［４］のいずれかに記載のポール立設構造。
［６］前記ポールインサートの上端部に回転操作部を取り付けたことを特徴とする［１］〜［５］のいずれかに記載のポール立設構造。
［７］前記ポールインサートには、ポールと該インサートとを締結するボルトナットのボルト挿通用孔が形成されていることを特徴とする［１］〜［６］のいずれかに記載のポール立設構造。
【考案の効果】
【０００７】
本考案のポール立設構造は、ポールホルダーやポールインサート等を組み合わせることにより、立設現場で作業者が容易にコンクリート製品や構造物の板状縁部などの対象物にポールを立設できる。また、立設時とは逆の操作を施すことによりポール立設構造を分解することも容易であるから、立設したポールをコンクリート製品や構造物の板状縁部などの対象物からポール立設構造を取り外したり、交換したりすることができる。また、分解後のポール立設構造の部材を組み立てて、ポール立設構造として、繰り返し使用することができる。
【図面の簡単な説明】
【０００８】
【図１】本考案のコンクリート製品にポールを立設するポール立設構造の正面図を示す。
【図２】本考案のポール立設構造の分解図を示す。
【図３】ポールホルダーの平面図（ａ）および正面図（ｂ）を示す。
【図４】ポール台の平面図（ａ）および正面図（ｂ）を示す。
【図５】ポールインサートの平面図（ａ）および正面図（ｂ）を示す。
【図６】グリップアンカータイプのインサートを示す。
【図７】本考案の構造物の板状縁部にポールを立設するポール立設構造の正面図を示す。
【図８】略コ字形材の斜視図を示す。
【図９】切り欠きが形成されたポール台の正面図を示す。
【考案を実施するための形態】
【０００９】
以下、本考案の一実施形態について、図に基づいて、最初にコンクリート製品にポールを立設する場合について、次いで構造物の板状部にポールを立設する場合について、詳細に説明する。
図１に本考案のコンクリート製品にポールを立設するポール立設構造を示した。ここで、コンクリート製品とは、コンクリート部材、コンクリートブロック、コンクリート建築物などを含むものである。また、図２に本考案のポール立設構造の分解図を示した。
【００１０】
１はコンクリート製品１００に埋め込まれたインサートであり、内部に雌ねじが形成されている。
図１、２では、下部につば部が形成されたインサート１が示されている。このタイプのインサートは、コンクリート製品１００のコンクリート打設の際にあらかじめ埋め込んでおく必要がある。下部につば部が形成されているので、インサートは凝固後のコンクリート製品から容易には抜けない。
既設のコンクリート製品１００には、インサート１として、内部に雌ねじが形成されたグリップアンカータイプのインサートを使用することができる。グリップアンカーは、既設のコンクリート製品にドリルで穿って形成した孔に埋め込むことができ、埋め込み後は末端の径が拡大してコンクリート製品から容易には抜けない構造になっている。図６にグリップアンカータイプのインサート１を示した。
これらのインサートは市販されており、容易に入手できる。
【００１１】
２は、インサート１のねじ部に螺合されるボルトであり、３はポールホルダーである。
ポールホルダー３は、図３に示すように、断面がコ字状の部材（以下「コ字状断面部材」という）３１およびボルト３２を有している。
コ字状断面部材３１の上端部と下端部には、板状体３３、３４が溶接などでそれぞれコ字状断面部材と一体的に取り付けられている。
なお、ボルト２とボルト３２を区別するために、ボルト２を「下向きボルト」、ボルト３２を「上向きボルト」ということがある。
【００１２】
コ字状断面部材の上端部における板状体３３は、図３（ａ）から分かるように、略Ω（オメガ）形の切り欠きが形成されており、切り欠きの略円形の部位は、ボルト３２の軸部（ねじ部）が挿通できるが、ボルト３２の頭部は通過できない大きさに、そして、切り欠きの略Ω（オメガ）形の根元部の部位は、ボルト３２の軸部（ねじ部）は通過できるがその頭部は通過できない幅に、切り欠きの寸法が決められる。
したがって、コ字状断面部材３１の開口部側から、すなわち図３（ａ）において下から、ボルト３２の軸部（ねじ部）を板状体３３の略Ω（オメガ）形の切り欠きに装入して、ボルト３２の軸部が板状体３３より上に飛び出している状態にし、図３（ｂ）に示すように、ボルト３２をそのねじ部に装着されたナット３５による締め付けにより板状体３３に堅固に取り付けることができる。ナット３５と板状体３３の間には座金を介することが望ましい。図３（ｂ）では２枚の座金が挿入されている。
【００１３】
板状体３３の切り欠きの形状は、略Ω（オメガ）形に限らず、ボルト３２の軸部（ねじ部）をコ字状断面部材３１の開口部側から板状体３３の切り欠きに装入することができ、かつボルト３２（上向きボルト）の頭部が該切り欠きを通過できないものであればどのような形状のものでもよい。
【００１４】
コ字状断面部材３１の下端部における板状体３４は、板状体３３と同様に、略Ω（オメガ）形の切り欠きが形成されており、切り欠きの略円形の部位は、ボルト２（下向きボルト）の軸部（ねじ部）が挿通できるが、ボルト２の頭部は通過できずに係止される大きさに、そして、切り欠きの略Ω（オメガ）形の根元部の部位は、ボルト２の軸部（ねじ部）は通過できるがその頭部は通過できない幅に、切り欠きの寸法が決められる。
したがって、コンクリート製品１００に埋め込まれたインサート１の雌ねじ部に螺合されたボルト２に対して、コ字状断面部材３１の下端部を近づけ、板状体３４の略Ω（オメガ）形の切り欠き内にボルト２の軸部（ねじ部）を装入することができる。そして、図１に示すように、ボルト２の頭部を板状体３４に係止させることができる。
板状体３４の切り欠きの形状は、板状体３３の切り欠きと同様に、略オメガ（Ω）形に限るものではない。
【００１５】
４はポール２００が載置されるポール台であり、ポールホルダー３のコ字状断面部材３１を包囲するように、コンクリート製品１００の上に配置されるものである。
ポール台４は、図４に示すように、パイプ状の側壁部４１とその上端部を覆う板状体部４２とからなり、板状体部４２にはポールホルダーのボルト３２（上向きボルト）の軸部（ねじ部）が挿通される孔４３が形成されている。板状体部４２の周縁が側壁部４１の外周をはみ出してつば部を形成してもよい。
側壁部４１のパイプ材は、図４では断面四角形の角パイプであるが、断面が円形のパイプでもよく、また、これらの形状に限るものではない。その断面はポールの断面よりも大きい面積を有している。
ポール台４は、側壁部４１の上端に板状体を溶接して製作することができるが、プレスなどの加工で、鋼板などの金属板から有底の筒状体に成形して製作することもできる。
【００１６】
ポール台４の高さは、図１に示すように、ポールホルダー３のコ字状断面部材３１よりも高く、ポールホルダー３のボルト３２の軸部を含めた高さよりも低い。したがって、コンクリート製品１００にボルト２（下向きボルト）を介して取り付けられたポールホルダー３に対して、ポール台４の上端における板状体部の孔４３にポールホルダー３のボルト３２（上向きボルト）の軸部を挿通しつつ、ポール台４をポールホルダーのコ字状断面部材３１を包囲するように配置すると、ボルト３２の軸部（ねじ部）の上部がポール台４の板状体４２の上面から飛び出した状態になる。後述するように、この飛び出したボルト３２の軸部（ねじ部）にはポールインサート５のナット５３が螺合される。
【００１７】
ポールインサート５は、ポール台４に載置され、そして、図１から分かるように、ポール２００の立設後はポール２００の下端部に収納されるものである。
ポールインサート５は、図５に示すように、パイプ状の本体部５１を有し、その上端部には、回転操作部５２が本体部５１と一体的に取り付けられており、回転操作部５２を回転させると本体部５１も同期して回転するようになっている。回転操作部５２はスパナやトルクレンチなどで回転させやすいように、６角や８角などの断面形状にすることが望ましく、図５には６角のものが示されている。
回転操作部５２を設けない場合は、本体部を工具などで把持して回転させることができる。
【００１８】
ポールインサート５の下端部の内部には、ポールホルダーのボルト３２のねじ部と螺合するナット５３が収納、固定されている。前記の回転操作部５２を回転させると、収納されたナット５３もパイプ状本体５１の回転と同期して回転することになる。ナット５３も回転操作部５２の回転により回転可能にするために、６角ナットや８角ナットなどが使用される。図１ではナット５３として高ナット（長ナット）が使用されているが、通常の高さのナットでもよい。
【００１９】
ナット５３は、ポール台４の板状体部４２から飛び出したポールホルダー３のボルト３２（上向きボルト）のねじ部に螺合される。そして、ナット５３が回転すると、ポールホルダー３のボルト３２（上向きボルト）が上昇して、それにつれてコ字状断面部材３１も上昇し、ポールホルダー３１下端部の板状体３４がボルト２（下向きボルト）の頭部に接触して係止することになる。
さらに、回転操作部５２を回転させてナット５３を回転させると、ボルト３２を介して、ポール台４とポールホルダー３のコ字状断面部材３１とが締め付けられ、ポールインサート５を下向きに引っ張る力が作用する。その結果、ポール台４は、コンクリート製品１００に押しつけられ、コンクリート製品１００上面に堅固に固定される。このことが確認できた後は回転操作部の回転を中止する。
【００２０】
ポールインサート５のパイプ状の本体部５１は、外径がポール２００の内径と等しいか、少し小さいかの寸法であり、ポールインサート５の本体部５１の全体がポール２００の下端部に嵌合状態で収納される。
したがって、ポール台４がコンクリート製品１００上面に堅固に固定されて立設された状態で、ポールインサート５にポール２００を被せると、ポール台４の上にポールを立設することができる。
【００２１】
ポール２００とポールインサート５とは、ボルト６とナット７により締結すると、両者がより一体的になり、ポールの回転を抑えることができる。
この場合、予めポールインサート５の上部にボルト挿通用の孔５４を形成しておき、それに対応する孔をポールにもドリルにより設ければよい。
また、ボルト挿通用の孔５４は、ボルト６を挿通する前に、この孔に棒材を挿通して、両端を把持して手動でポールインサートを回転させることもでき、上述のポール台４とポールホルダー３のコ字状断面部材３１とを締め付けることにも利用できる。
【００２２】
これまでコンクリート製品にポールを立設する場合について説明したが、本考案のポール立設構造は、インサート１をポール立設の対象物に埋設できるものであれば、どのような対象物にもポールを立設することができる。
【００２３】
しかし、鋼製などの硬質の材料で製作された構造物はインサートを埋設することが困難である。このような構造物であっても、板状縁部を備える構造物の場合には、略コ字状形材を使用することにより、本考案のポール立設構造を用いて、コンクリート製品と同様に、ポールを立設することができる。
以下、本考案のポール立設構造を使用して、構造物の板状縁部にポールを立設する実施形態について説明する。
図７において、１１０はポールが立設される構造物の板状縁部、８はこの板状縁部１１０に装着される略コ字形材である。図８から分かるように、略コ字形材８は上辺腕部８１と下辺腕部８２を有し、下辺腕部８２端部の上面には板状当て部８３を備えている。
【００２４】
上辺腕部８１の端部寄りの部位には、雌ねじが形成されている。前述のコンクリート製品１００にポールを立設する場合には雌ねじが形成されたインサート１をコンクリート製品１００に埋設したが、構造物の板状縁部１１０にポールを立設するために、インサート１の代わりに、雌ねじが形成された略コ字形材８を使用し、この略コ字形材８にボルト（下向きボルト）２を螺合させるのである。そして、略コ字形材８は構造物の板状縁部１１０に装着される。
【００２５】
図７に示すように、構造物の板状縁部１１０にポールを立設するポール立設構造は、コンクリート製品にポールを立設するポール立設構造と同様に、ポールホルダー３、ポール台４およびポールインサートを備えるものである。ポール立設構造に使用されるこれらの部材は、ポール台４が前記の上辺腕部８１を受け入れる切り欠き４４（図９参照）を有している点を除いて、全く同じ構造のものを使用することができる。そして、ポールを立設する機構は、コンクリート製品１００にポールを立設する機構と全く同じである。
【００２６】
したがって、略コ字形材の上辺腕部８１に形成された雌ねじ部に螺合されたボルト２（下向きボルト）の頭部は、コンクリート製品にポールを立設する場合と同様に、ポールホルダー３の板状体３４に係止され、ポールホルダー３のボルト３２（上向きボルト）の頭部は板状体３３に係止されている。そして、この状態で、ボルト３２（上向きボルト）３２のねじ部に螺合されたポールインサート５のナット５３を回転させると、ボルト３２（上向きボルト）を介して、ポール台４とポールホルダー３のコ字状断面部材３１とが締め付けられ、ポールインサート５を下向きに引っ張る力が作用する。同時に、ボルト（下向きボルト）２を介して、略コ字形材８も上向きに引っ張られる。その結果、ポール台４は、構造物の板状縁部１１０に押し付けられ、構造物の板状縁部１１０上面に堅固に固定される。  
【００２７】
略コ字形材８の下辺腕部８２の上面には、板状当て部８３を取り付けている。ポールが立設された状態では、略コ字形材８を上向きに引っ張る力が作用しているから、この板状当て部８３が構造物の板状縁部１１０の裏面に密着して、略コ字形材８も安定して板状縁部１１０に装着されることになる。
図７では、上辺腕部８１は腕部長さが下辺腕部８２よりも長いが同じ長さであってもよい。
略コ字形材８は鋼製とすることが強度の点から望ましい。
なお、ポール台４の下部には、上述したように、上辺腕部８１をポール台４下部に進入させるための切り欠きが設けられている。
【００２８】
以上のとおり、本考案のポール立設構造は、略コ字形材８を使用することによりインサート１の埋設が困難な鋼などの金属製構造物などの硬質の対象物にも、この対象物の板状縁部１１０にポールを立設することができる。また、金属製構造物に限らず、対象物が板状縁部１１０を有していれば、本考案のポール立設構造によりポールを立設できることは明らかである。
板状縁部の厚みが大きければ、その厚さに応じて、略コ字形材の上辺腕部８１と下辺腕部８２に取り付けられた板状当て材８３の上面との間隔を広げることで対応することができる。
【００２９】
ポール２００には、紐を通すためのリング付きボルト３００等の付属品をナットで取り付けて、複数のポールとの間に紐を張り渡すことができるが、このような場合、リング付きボルトのリングの方向が同じであることが望ましい。本考案のポール立設構造では、ポールインサート５をポール台４に立設してからポール２００を装着するので、リングの向きをいかなる方向にも選択でき、隣接するポール間でリングの方向を同じ方向に揃えることが容易にできる。
【００３０】
本考案のポール立設構造を構成する部材は、強度を確保する点から、鋼材やステンレス材で製作することが望ましい。なお、ポール２００としては鋼等の金属製や繊維強化プラスチック等の合成樹脂材製の中空のものを使用することができる。
【００３１】
本考案のポール立設構造では、ポール２００をポールインサート５から取り外すことで、ポール２００の交換やポール２００の取り外しも容易に行える。
また、ポール立設時とは逆の操作をしてポール立設構造を分解し、分解後の部材を組み立てて、ポール立設構造として、繰り返し使用することができる。
また、分解によって、ポールインサートをポール台から外し、さらにポール台を外し、次いでボルト２からポールホルダーを外し、最後にボルト２をインサート１から取り外すことで、インサート１以外のポール立設構造を全て取り除くことができ、コンクリート製品１００をほぼ元の状態に復元することができる。
構造物１１０にポール立設する場合も、同様に分解し、最後にボルト２を略コ字形材８から取り外すことで、ポール立設構造を全て取り除くことができ、構造物１１０を元の状態に復元することができる。
【符号の説明】
【００３２】
１：インサート
２：ボルト（下向きボルト）
３：ポールホルダー
３１：コ字状断面部材
３２：ボルト（上向きボルト）
３３：（上端部の）板状体
３４：（下端部の）板状体
３５：ナット
４：ポール台
４１：（ポール台の）側壁部
４２：（ポール台の）板状体部
４３：（板状体部に形成された）孔
４４：切り欠き
５：ポールインサート
５１：（ポールインサートの）本体部
５２：回転操作部
５３：（ポールインサートに収納、固定された）ナット
５４：ボルト挿通用孔
６：（ポール締結用）ボルト
７：（ポール締結用）ナット
８：略コ字形材
８１：略コ字形材の上辺腕部
８２：略コ字形材の下辺腕部
８３：略コ字形材の板状当て部
１００：コンクリート製品
１１０：構造物の板状縁部
２００：ポール
３００：リング付きボルト
【図１】
0003205169.tif 000003
【図２】
0003205169.tif 000004
【図３】
0003205169.tif 000005
【図４】
0003205169.tif 000006
【図５】
0003205169.tif 000007
【図６】
0003205169.tif 000008
【図７】
0003205169.tif 000009
【図８】
0003205169.tif 000010
【図９】
0003205169.tif 000011